(57)【要約】  携帯電話システム１は、国Ａ内における通信網内の国内基地局３０に設けられ、国Ｂへ渡航した人の携帯電話２０の電話番号をその渡航先である国Ｂと関連付けて格納する渡航者情報格納部３３２を含む。
2012073370.tif 000002
【特許請求の範囲】
【請求項１】
国内の通信網を利用する発信側の携帯電話と国外の通信網を利用する着信側の携帯電話との間で交信を行う携帯電話システムであって、
国内の通信網内に設けられ、国外へ渡航した人の携帯電話の番号をその渡航先と関連付けて格納する格納手段と、
前記発信側の携帯電話から前記着信側の携帯電話に交信要求があったとき、前記着信側の携帯電話に着信することなく、前記格納手段に格納された情報に応じて、前記発信側の携帯電話に所定の情報を通知する通知手段を含む、携帯電話システム。
【請求項２】
前記格納手段は国外へ渡航した人の渡航国の標準時刻を記憶する、請求項１に記載の携帯電話システム。
【請求項３】
前記着信側の携帯電話は着信した時の応答方法を設定可能であり、
前記格納手段は前記設定された着信側の携帯電話の着信時の応答方法を格納する、請求項１に記載の携帯電話システム。
【発明の詳細な説明】
【技術分野】
【０００１】
この発明は携帯電話システムに関し、特に、通話相手が国外にいる場合においても適切な対応が可能な携帯電話システムに関する。
【背景技術】
【０００２】
従来の、発信先の居場所およびその現地時刻が通知される携帯電話システムが、たとえば、特開２００６−２１７２６８号公報（特許文献１）および、特開２００４−６４５６２号公報（特許文献２）に開示されている。【０００３】
特許文献１は、国際ローミングサービスを利用している携帯電話機において現地時刻を自動的に通知することのできる携帯電話を提供することを目的とし、着信側の携帯電話に着信があった場合、留守番電話機能が有効になっている場合、自機（着信側携帯電話）が所在する現地時刻を計時し、また、自機のある位置情報を取得して、計時した現地時刻および取得した位置情報（地域名）を予め記憶する文字データで構築して、文字データに基づき音声データを合成して、発信側携帯電話に送信する旨が開示されている。【０００４】
特許文献２は、着信者が常に場所、時間などに応じた通知方式への設定を意識しなくても、適切な着信が行えるようにするための着信通知方式指定システム、通信端末、および、通信端末制御プログラムを提供することを目的とし、発信側携帯電話から着信側携帯電話に発信されると（段落番号００５８）、着信側携帯電話の位置情報が取得され、取得された位置情報に基づいて現地時刻が取得される。ここで取得される位置情報には、国番号、市外局番、および市外局番＋電話番号に相当する情報が含まれ、発信側と着信側とにおいて時差がある場合は、発信側の携帯電話の所持者が予め定めた制御内容（通常の着信方法、マナーモードの着信方法、留守番電話機能の実行など）で、発信側の携帯電話に応答させる旨が開示されている。
【先行技術文献】
【特許文献】
【０００５】
【特許文献１】特開２００６−２１７２６８号公報
【特許文献２】特開２００４−６４５６２号公報
【発明の概要】
【発明が解決しようとする課題】
【０００６】
従来の携帯電話システムは上記のように構成されていた。しかしながら、着信側の携帯電話または発信側の携帯電話を特定のモードに設定する必要があり、煩雑であったという問題があった。【０００７】
この発明は従来の問題点を解消するためになされたもので、通信相手が国外のどこにいるのかを容易に知ることができるとともに適切な対応を可能にさせる携帯電話システムを提供することを目的とする。
【課題を解決するための手段】
【０００８】
この発明にかかる携帯電話システム、国内の通信網を利用する発信側の携帯電話と国外の通信網を利用する着信側の携帯電話との間で交信を行う。携帯電話システムは、国内の通信網内に設けられ、国外へ渡航した人の携帯電話の番号をその渡航先と関連付けて格納する格納手段と、発信側の携帯電話から着信側の携帯電話に交信要求があったとき、着信側の携帯電話に着信することなく、格納手段に格納された情報に応じて、発信側の携帯電話に所定の情報を通知する通知手段を含む。【０００９】
好ましくは、格納手段は国外へ渡航した人の渡航国の標準時刻を記憶する。【００１０】
さらに好ましくは、着信側の携帯電話は着信した時の応答方法を設定可能であり、格納手段は設定された着信側の携帯電話の着信時の応答方法を格納する。
【発明の効果】
【００１１】
この発明に係る携帯電話システムにおいては、国内の通信網内に、国外への渡航者の携帯電話の番号およびその位置などを格納する格納手段を設けたため、特定の設定をすることなく、国内の通信網のみで着信側の情報を発信側で知ることができる。【００１２】
その結果、通信相手が国外のどこにいるのかを容易に知ることができるとともに適切な対応を可能にさせる携帯電話システムを提供することができる。
【図面の簡単な説明】
【００１３】
【図１】携帯電話システムの全体構成を示すブロック図である。
【図２】携帯電話の構成を示すブロック図である。
【図３】携帯電話の機能を示すブロック図である。
【図４】基地局の構成を示すブロック図である。
【図５】渡航者情報格納部内に格納される情報を示す図である。
【図６】携帯電話システム全体の動作を示すフローチャートである。
【発明を実施するための形態】
【００１４】
以下、この発明の実施形態を、図面を参照して説明する。ここにおける携帯電話システムは、国内の通信網と国外の通信網とを用いて交信を行う場合に適用される。以下の説明においては、携帯電話同士が通話や電子メールなどの通信を行う場合、各基地局間に存在する通信網（公衆回線）を介して行う点については公知であるため、通信を行う基地局同士の間における構成、動作の詳細な説明や図示は省略する。
【００１５】
図１はこの実施形態にかかる携帯電話システムの全体構成を示すブロック図である。また、図２は携帯電話の構成を示すブロック図であり、図３は図２に示した携帯電話をその機能から見た構成を示すブロック図である。
【００１６】
携帯電話システム１は、図１に示すように、国Ａ内に存在する携帯電話１０と、国Ａ外の国Ｂに存在する携帯電話２０と、国Ａ内に設けられ、携帯電話１０と交信する基地局３０と、国Ｂ内に設けられ、携帯電話２０と交信する基地局４０とを含む。この実施形態において、国Ａは日本（国内）とし、国Ｂはイギリス（国外）とする。なお、ここにおける携帯電話１０および携帯電話２０と、基地局３０および基地局４０とにおいては、存在する位置が異なること以外は同様であるため、以下の説明においてはその説明を適宜省略する。
【００１７】
まず、携帯電話１０について説明する。携帯電話１０は、図２に示すように、携帯電話１０の有する各構成を制御するＣＰＵ（Ｃｅｎｔｒａｌ  Ｐｒｏｃｅｓｓｉｎｇ  Ｕｎｉｔ）１１と、種々の情報の書込みや読出しを行うＲＡＭ（Ｒａｎｄｏｍ  Ａｃｃｅｓｓ  Ｍｅｍｏｒｙ）１２と、種々の情報を記憶する記憶部１３と、移動体通信網と接続を可能にする無線通信モジュール１４と、ハードディスクなどの補助記憶装置１５と、ユーザに情報の入力を可能にさせるテンキーなどを含む操作部１６と、ディスプレイなどで携帯電話１０内の情報を出力する出力装置１７と、携帯電話１０に着脱可能であり、ユーザに関連する情報などを格納するＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）部１８と、を含む。
【００１８】
ＵＳＩＭ部１８は、具体的には、ユーザＩＤ（Ｉｄｅｎｔｉｆｉｃａｔｉｏｎ）や携帯電話１０の電話番号などの情報と、携帯電話１０を利用させる通信事業者を特定する事業者コードおよびをその通信事業者が属する国を示す国番号を含むＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：国際移動通信加入者識別子）と、を含む携帯電話固有情報を格納する。このＵＳＩＭ部１８は、携帯電話１０に対して着脱自在である。
【００１９】
携帯電話１０は、上記のハードウェア構成を有することにより、図３に示す機能を達成する。具体的には、携帯電話１０は、「ＲＦ（Ｒａｄｉｏ  Ｆｒｅｑｕｅｎｃｙ）機能部１０１と、「通信処理」機能部１０３と、「判断」機能部１０６と、「固有情報出力」機能部１０８と、を実行することが可能である。上記した各機能は、ＣＰＵ１１、ＲＡＭ１２などのハードウェア上に所定のコンピュータソフトウェアを読み込ませることにより、ＣＰＵ１１の制御のもとで無線通信モジュール１４、操作部１６、出力装置１７を動作させるとともに、ＲＡＭ１２や補助記憶装置１５におけるデータの読み出しおよび書き込みを行うことで実現される。また、ＣＰＵ１１は、通信する際に、ＵＳＩＭ部１８に記憶されているユーザ情報を用いて認証処理などを行い、無線通信モジュール１４を用いた通信を行うことができる。次に、図３に示す各機能ブロックについて説明する。
【００２０】
ＲＦ機能部１０１は、アンテナ１０１ａを介して受信した無線信号を処理し、処理した無線信号を通信処理機能部１０３に出力する。ここにおいて、ＲＦ機能部１０１は、音声信号、データ信号などからなる無線信号のほか、移動体通信網に接続するための基地局が報知する基地局情報を受信し通信処理機能部１０３に出力する。なお、ここにおける基地局情報は、基地局の設けられる位置情報（国番号など）である。
【００２１】
通信処理機能部１０３は、基地局から出力された報知情報に含まれる基地局情報を抽出する。その後、通信処理機能部１０３は、抽出した基地局情報を判断部１０６に出力する。また、通信処理機能部１０３は、固有情報出力機能部１０８から出力された指示を受信した場合に、ＵＳＩＭ部１８に格納される携帯電話固有情報を通信可能な基地局に出力する。また、所定の時間が経過した場合、携帯電話１０の電源が投入された場合、基地局との通信を行った場合、操作部１６から通話などの発信指示を受け付けた場合、などでも同様、携帯電話固有情報を通信可能な基地局に出力する。
【００２２】
判断機能部１０６は、通信処理機能部１０３から出力された基地局情報に含まれる国番号とＵＳＩＭ部１８に記憶されている携帯電話固有情報に含まれる国情報とが一致するか否かを比較する。判断機能部１０６は、国番号が異なっていると判断した場合には、その旨を固有情報出力機能部１０８に出力する。
【００２３】
固有情報出力機能部１０８は、判断機能部１０６から出力された判断を受け付け、通信可能な範囲の基地局にＵＳＩＭ部１８に記憶される携帯電話固有情報を所定の場所に送信するよう指示を通信処理機能部１０３に出力する。
【００２４】
携帯電話２０の構成についての説明は省略する。また、携帯電話１０，２０のいずれも国Ａの通信事業者のサービスを受けている携帯電話であり、ＵＳＩＭ部１８に記憶される携帯電話固有情報に含まれるユーザ情報以外は同様である。
【００２５】
次に、基地局３０について説明する。図４は、基地局の構成を示すブロック図である。基地局３０は、図４に示すように、基地局３０の有する各構成の動作を制御する制御部３１と、基地局３０が通信可能なエリア（以下「セル」という）内の携帯電話と無線で通信を可能にさせる基地局通信部３２と、種々の情報を記憶する記憶装置３３と、基地局通信部３２を介して通信する携帯電話と公衆回線に接続して通信可能にする回線通信部３４と、基地局通信部３２を介して受信した携帯電話からの携帯電話固有情報を出力する固有情報出力部３６と、渡航者の状況を通知する渡航状況通知部３７とを含む。
【００２６】
基地局通信部３２は、セル内に存在する携帯電話と自らの有するアンテナ（図示なし）を介して無線で通信する。基地局通信部３２は、セル内の携帯電話が他の携帯電話（セル内に限らない）と通話やメールなどの通信を要求する旨の無線信号や、携帯電話から出力された携帯電話固有情報および後述する記憶装置３３に格納される情報（基地局情報を含む）などを受信あるいは送信する。
【００２７】
記憶装置３３は、基地局情報記憶部３３１と、渡航者情報格納部３３２と、を含む。基地局情報記憶部３３１は、携帯電話に出力するための国番号を含む基地局情報を格納する。一方、渡航者情報格納部３３２は、詳細は後述するが、公衆回線を介して送信された渡航者と関連付けられた渡航者情報（ここでは公衆回線を介して受信した渡航者の所持する携帯電話の携帯電話固有情報および渡航者が通信可能な基地局の設けられている国番号を含む基地局情報）を格納する。
【００２８】
ここで、渡航者情報格納部３３２が格納する情報の一例について説明する。図５は渡航者情報格納部内に格納される情報を示す図である。図５を参照して、渡航者情報格納部３３２は、渡航者の所持する携帯電話の電話番号と、渡航者が存在する国番号および国番号に該当する国名と、渡航者がいる国の標準時刻とを含む情報を関連付けて格納している。それぞれ渡航者情報格納部３３２に格納される項目は、公衆回線を介して送信された渡航者情報から対応する情報が抽出される情報を示す。国名については、渡航者情報が有する基地局情報に含まれる国番号に基づく。たとえば、予め国番号と国名とが対応付けられた「国番号−国名」情報を記憶装置３３に格納しておけば、渡航者情報から国名が判明する。また、現地時刻については、さらに国番号とその国の標準時刻とを関連付けた「標準時刻情報」を記憶装置３３に格納しておけば、渡航者のいる国の標準時刻が判明する。なお、渡航者情報格納部３３２が格納する情報は、所定の条件（時間的な条件など）に基づいて更新される。また、渡航者情報格納部３３２は格納手段として作動し、国外へ渡航者の携帯電話の電話番号をその渡航先の国番号と関連付けて格納している。なお、この実施形態において、渡航者情報格納部３３２に格納される情報は、公衆回線を介して海外から出力されてくるとともに、国内通信網内における全ての基地局が共有するように構成されている。
【００２９】
回線通信部３４は、再び、図４を参照して、基地局通信部３２を介してセル内の携帯電話から他の基地局のセル内にある携帯電話と通話や電子メールなどをする旨の通信要求があった場合、公衆回線に接続されている接続線５０を通じ、公衆回線を介して相手側の通信端末（ここでは携帯電話）と通信可能にさせる。一方、その逆も同様に、公衆回線から送信されてきた通信要求があった場合、基地局通信部３２を介してセル内の携帯電話と通信可能にさせる。また、公衆回線を介して送られてくる種々の情報（渡航者情報を含む）を受信して記憶装置３３に出力して格納させる。さらに、渡航者情報出力部３６からの指示に基づいて、公衆回線を介して情報を出力する。
【００３０】
渡航者情報出力部３６は、基地局通信部３２を介して受信した携帯電話固有情報（携帯電話の電話番号および国番号を含む）を抽出して、回線通信部３４に出力し、公衆回線を介して携帯電話固有情報に含まれる国番号に対応する国の通信網へと渡航者情報を送信させる指示を出力する。
【００３１】
渡航状況通知部３７は、渡航者情報格納部３３２に格納される情報を音声データで構築して、携帯電話などが通信を要求している状態において音声でガイダンスする。なお、音声データの構築については公知であるため説明を省略する。
【００３２】
なお、基地局４０の構成についての説明は省略する。基地局３０，４０は、通信事業者が異なるため、基地局情報が異なるが、その他、構成および動作は同様である。
【００３３】
次に、携帯電話システムの動作について説明する。図６は携帯電話システム全体の動作を示すフローチャートである。具体的には、一番左の列から順に、携帯電話１０のＣＰＵ、基地局３０の制御部、基地局４０の制御部、携帯電話２０のＣＰＵの各動作を示す。
【００３４】
図１および図６を参照して、イギリスに行った渡航者が所持する携帯電話２０の電源を入れると、携帯電話２０のＣＰＵは、通信可能な基地局４０からその基地局の基地局情報を受信する。携帯電話２０のＣＰＵは、受信した基地局情報と携帯電話２０のＵＳＩＭ部に格納される国番号と基地局情報とを比較する。比較の結果、ＵＩＳＭ部の国番号と基地局情報に含まれる国番号とが一致しない場合（Ｓ４０１）、携帯電話２０のＣＰＵは、基地局４０に携帯電話２０の電話番号と国番号とを含む携帯電話固有情報を出力する（Ｓ４０２）。基地局４０の制御部は、携帯電話２０から出力された携帯電話固有情報に含まれる携帯電話２０の電話番号とともに基地局４０の基地局情報、すなわち渡航者情報を携帯電話固有情報に含まれる国番号に対応する国の所定の装置（たとえば、日本国内の公衆回線を管理するサーバ）に出力する（Ｓ３０１）。公衆回線を介して、日本国内の通信網へ送信された渡航者情報（携帯電話２０の電話番号および基地局４０の基地局情報）を、国内の所定の装置が各基地局に共有させるように各基地局の有する渡航者情報格納部３３２に格納する（Ｓ２０１）。
【００３５】
上記のようにして、基地局３０が渡航者情報を格納した後に、日本国内で携帯電話１０を所持するユーザが携帯電話２０を所持する渡航者に通話のための発信をする（Ｓ１０１）。すると、携帯電話１０が通信可能な基地局３０は、格納している渡航者情報の中に、一致する携帯電話２０の電話番号があることを確認して（Ｓ２０２）、一致する携帯電話２０の電話番号があれば、渡航の状況を通知する。具体的には、渡航先の国名（イギリス）と渡航先の国の標準時刻を音声ガイダンスなどの公知の手段により「イギリスにいる旨」および「イギリスの現在の時刻」を通知するとともに、このまま通話処理を続行するか否かについて携帯電話１０のユーザに問い合わせる（Ｓ２０３）。なお、ここでのガイダンスでは、通話処理を続行する場合に携帯電話１０のユーザに携帯電話の操作部から、たとえばテンキーの「１」を選択してもらうように案内する。携帯電話１０がガイダンスを受け（Ｓ１０２）、ガイダンスを受けた携帯電話１０のユーザが通話を希望する旨を操作部から受け付けた場合（Ｓ１０３においてＹＥＳ）、基地局３０、公衆回線、そして基地局４０を介して、携帯電話２０と通信できるように電話回線をつなぐ処理を各々実行する（Ｓ２０４、Ｓ３０２、Ｓ４０３）。
【００３６】
一方、ユーザが通話を希望しない場合（Ｓ１０３においてＮＯ）、そのままユーザは携帯電話１０の通信を終わらせるように電話を切るなどして通信を切断する。
【００３７】
以上より、日本の通信網内における基地局に、イギリスへ渡航した人の携帯電話の携帯番号、渡航先の国番号および国名（イギリス）や標準時刻などを格納しているため、日本国内から電話を発信したユーザおよび電話を受ける側の渡航者が特定の設定をすることなく、ユーザは渡航者の所在位置やその国の標準時刻を容易に知ることができる。すなわち、携帯電話に特定のモードを設定する必要もない。
【００３８】
その結果、通信相手が国外のどこにいるのかを容易に知ることができるとともに適切な対応を可能にさせることができる。
【００３９】
なお、上記の実施形態において、所定の装置に渡航者情報を格納し、複数の基地局に共有させるようにする場合について説明したが、これに限ることなく、たとえば、所定の装置が渡航者情報を格納しておいて、各基地局からこの装置にアクセスできるようにしてもよい。
【００４０】
なお、上記の実施形態においては、日本を国内とし、また、渡航先をイギリスとしたが、これに限ることはない。すなわち、携帯電話システムを活用する上で、ホーム網と渡航先とが定められれば、いずれの国においても適用可能である。
【００４１】
なお、上記の実施形態においては、携帯電話１０と携帯電話２０とは同様の構成であり、かつ、基地局３０と基地局４０とは同様の構成であるため、携帯電話システムは全く反対の動作をすることもできる。すなわち、イギリスをホーム網として日本を渡航先としてもよい。
【００４２】
次に他の実施の形態について説明する。この実施の形態においては、着信した時点の渡航先の時刻に応じて処理を自動的に変更する。たとえば、着信時刻が特定の設定された時刻、たとえば、２２時を過ぎれば、電話の着信をしないで回線を切断する。また、携帯電話２０が最初にされたとき（Ｓ４０１）にこの設定情報を渡航者情報格納部３３２に格納してもよい。
【００４３】
さらに、着信側の携帯電話の使用者の時刻設定に応じて、設定された時刻前であれば、電話を接続し、設定された時刻を過ぎると自動的に留守番電話になる、または、回線を切断するようにしてもよい。着信側のユーザはこの時刻を予め着信側の携帯電話に設定する。この設定内容渡航者情報格納部３３２に格納されてもよい。こうすることにより、使用者の設定に応じて、所望の動作が可能になる。
【００４４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【符号の説明】
【００４５】
１  携帯電話システム、１０，２０  携帯電話、１１  ＣＰＵ、１２  ＲＡＭ、１３、記憶部、１４  無線通信モジュール、１５  補助記憶装置、１６  操作部、１７  出力装置、１８  ＵＳＩＭ部、３０，４０  基地局、１０１  ＲＦ機能部、１０３  通信処理機能部、１０６  判断機能部、１０８  固有情報出力機能部、３１  制御部、３２  基地局通信部、３３  記憶装置、３３１  基地局情報記憶部、３３２  渡航者情報格納部、３４  回線通信部、３６  渡航者情報出力部、３７  渡航者状況通知部。
【図１】
2012073370.tif 000003
【図２】
2012073370.tif 000004
【図３】
2012073370.tif 000005
【図４】
2012073370.tif 000006
【図５】
2012073370.tif 000007
【図６】
2012073370.tif 000008
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
国内の通信網を利用する発信側の携帯電話と国外の通信網を利用する着信側の携帯電話との間で交信を行う携帯電話システムであって、
国内の通信網内に設けられ、国外へ渡航した人の携帯電話の番号をその渡航先と関連付けて格納する格納手段と、
前記発信側の携帯電話から前記着信側の携帯電話に交信要求があったとき、前記着信側の携帯電話に着信することなく、前記格納手段に格納された情報に応じて、前記発信側の携帯電話に所定の情報を通知する通知手段と、
着信した時点の渡航先の時刻に応じて、処理を自動的に変更する変更手段とを含む、
携帯電話システム。
【請求項２】
前記格納手段は国外へ渡航した人の渡航国の標準時刻を記憶する、請求項１に記載の携帯電話システム。
【請求項３】
前記着信側の携帯電話は着信した時の応答方法を設定可能であり、
前記格納手段は前記設定された着信側の携帯電話の着信時の応答方法を格納する、請求項１に記載の携帯電話システム。
【国際調査報告】
2012073370.tif 000009
2012073370.tif 000010
2012073370.tif 000011
2012073370.tif 000012